(57)【要約】【課題】ポンプ効率を高めると共に、風量及び風圧の向上を図ることが可能な貫流ポンプの提供を目的とする。【解決手段】流路に軸支された円筒形状の羽根車１７と、前記羽根車を回転駆動する駆動モータ１９と、を備えた貫流ポンプ１１であって、流体の吸入口１２の一端から前記羽根車１７の回転方向３１に沿って噴出口１３へ続く流路の内壁面１６ａの膨出により形成された膨出空間３３と、羽根車１７の外周部に所定間隔で配列された、形状変化可能な複数の羽根１８と、吸入口１２から流入する流体への抵抗を減少させるために、吸入口１２に面した位置にある複数の羽根１８の形状を変化させる羽根形状変化手段と、を有する構成である。【選択図】図２
2020204269.tif 000002
【特許請求の範囲】
【請求項１】
流路に軸支された円筒形状の羽根車と、
前記羽根車を回転駆動する駆動モータと、
を備えた貫流ポンプであって、
流体の吸入口の一端から前記羽根車の回転方向に沿って噴出口へ続く前記流路の内壁面の膨出により形成された膨出空間と、
前記羽根車の外周部に所定間隔で配列された、形状変化可能な複数の羽根と、
前記吸入口から流入する前記流体への抵抗を減少させるために、前記吸入口に面した位置にある前記複数の羽根の形状を変化させる羽根形状変化手段と、
を有する貫流ポンプ。
【請求項２】
前記膨出空間は、前記噴出口に向かうにつれて徐々に前記内壁面が膨出する形状となる請求項１に記載の貫流ポンプ。
【請求項３】
前記複数の羽根は、それぞれ前記羽根車の回転軸方向を長手方向として前記回転方向に２以上に分割された分割羽根が重畳可能に形成され、
前記羽根形状変化手段は、前記吸入口に面した位置において前記分割羽根を重畳させて前記流体への抵抗を減少させる請求項１又は２に記載の貫流ポンプ。
【請求項４】
前記羽根形状変化手段は、前記複数の羽根のそれぞれに設けた前記回転軸方向に伸長する可動軸部及び固定軸部を有し、
前記固定軸部は、前記羽根車の両端に固着された一対の回転板に接続され、
前記可動軸部は、前記一対の回転板を貫通して前記回転板の外側に設けられた一対の固定板に形成された溝部に貫入し、前記羽根車の回転に伴って前記溝部の所定形状に沿って移動し、前記溝部の所定範囲位置において前記分割羽根を重畳させる請求項３に記載の貫流ポンプ。
【請求項５】
前記複数の羽根は、それぞれ前記羽根車の回転軸方向を長手方向として前記回転方向に２以上に分割された分割羽根が連動して回動可能に形成され、
前記羽根形状変化手段は、前記吸入口に面した位置において前記分割羽根をそれぞれ回動させて前記流体への抵抗を減少させる請求項１又は２に記載の貫流ポンプ。
【請求項６】
前記羽根形状変化手段は、前記複数の羽根のそれぞれに設けた前記回転軸方向に伸長する可動軸部及び固定軸部を有し、
前記固定軸部は、前記羽根車の両端に固着された一対の回転板に接続され、
前記可動軸部は、前記一対の回転板を貫通して前記回転板の外側に設けられた一対の固定板に形成された溝部に貫入し、前記羽根車の回転に伴って前記溝部の所定形状に沿って移動し、前記溝部の所定範囲位置において前記分割羽根を回動させる請求項５に記載の貫流ポンプ。
【請求項７】
前記可動軸部は、前記溝部の所定範囲位置において前記分割羽根を回動させて隣接する分割羽根同士の間に所定の隙間を形成させる請求項６に記載の貫流ポンプ。
【請求項８】
前記可動軸部は、前記複数の羽根が前記吸入口を離れた位置にあるときは、前記分割羽根を回動させて隣接する分割羽根との間の隙間を解消させる請求項６に記載の貫流ポンプ。
【発明の詳細な説明】
【技術分野】
【０００１】
本発明は、流路内に軸支され、外周部に複数の羽根が配列されたた円筒形状の羽根車を備えた貫流ポンプに関する。
【背景技術】
【０００２】
回転方向に湾曲した多数の羽根を持つ筒形の羽根車を回転し、流体（気体）が羽根車を貫流する貫流ファンを備えた貫流ポンプが知られている。貫流ファンは軸方向に長い送風幅を持つことで風量の増大を図ることは容易であるが、静圧が低く、羽根車内に渦を発生させて流体を加速させているので、加速能力が不安定で且つ加速効率が悪いという面がある。
【０００３】
そのため上記問題点を解消すべく、貫流ポンプの羽根車を円弧状の遠心翼列と直線翼列とで構成し、直線翼列を吸入側に利用することでポンプ効率を向上させた貫流ポンプを提案した（特許文献１）。
【先行技術文献】
【特許文献】
【０００４】
【特許文献１】特開２００３−８３２８０号公報
【発明の概要】
【発明が解決しようとする課題】
【０００５】
上記特許文献１に記載の貫流ポンプによれば、直線翼列を吸入に利用することでポンプ効率を飛躍的に向上させることができ、さらには騒音を低減させることが可能となった。
【０００６】
上記特許文献１に記載の貫流ポンプは従来の貫流ポンプ同様に、羽根車の上流に位置する流体は、羽根車の内部に形成された渦の負圧により吸引されて、羽根車の回転方向の遠心力により加速されながら、羽根車の下流側に吐出される。このような貫流ポンプでは、風圧を高めるために羽根車の高速回転を行うと、上記渦の負圧による吸引と、遠心力による下流側への吐出のバランスが崩れ、所望の風圧を得ることができない。
【０００７】
本発明は、ポンプ効率を高めると共に、風圧及び風量の向上を図ることが可能な貫流ポンプの提供を目的とする。
【課題を解決するための手段】
【０００８】
上記課題を解決するために、本発明に係る貫流ポンプは、流路に軸支された円筒形状の羽根車と、前記羽根車を回転駆動する駆動モータと、を備えた貫流ポンプであって、流体の吸入口の一端から前記羽根車の回転方向に沿って噴出口へ続く前記流路の内壁面の膨出により形成された膨出空間と、前記羽根車の外周部に所定間隔で配列された、形状変化可能な複数の羽根と、前記吸入口から流入する前記流体への抵抗を減少させるために、前記吸入口に面した位置にある前記複数の羽根の形状を変化させる羽根形状変化手段と、を有する構成である。
【０００９】
このような構成によれば、流体の吸入口の一端から前記羽根車の回転方向に沿って噴出口へ続く流路の内壁面の膨出により形成された膨出空間を有するので、羽根車の内部から噴出された流体は膨出空間を通じて遠心流として噴出口から噴射され、羽根車の内部で形成される渦流の影響を受けずに吸入口から流体を流入させることができる。このとき、羽根車の外周部に配置された複数の羽根のうち、吸入口に面した位置にある複数の羽根を流入する流体への抵抗を減少させるために変化させることができるので、吸入口での支障を抑えて流体を流入できる。そして、高回転させた羽根車からの流体は高圧、高速気流として噴出口から噴出することができる。複数の羽根は、流入する流体への抵抗を減少させるために、例えば、羽根の面積を減少させるように形状を変化させることができる。加えて、流入する流体への抵抗を減少させるために、流体に対向する羽根の角度を変化させることができる。
【００１０】
本発明に係る貫流ポンプにおいて、前記膨出空間は、前記噴出口に向かうにつれて徐々に前記内壁面が膨出する形状となる構成とすることができる。
【００１１】
このような構成によれば、膨出空間が噴出口に向かうにつれて徐々に内壁面が膨出する形状となっているので、羽根車が高速回転して遠心流となった流体が噴出口に向かって高圧、高速気流となることができる。膨出空間は、噴出口に向かって徐々に流路の内壁面が羽根車から離れる形状とすることができる。
【００１２】
本発明に係る貫流ポンプにおいて、前記複数の羽根は、それぞれ前記羽根車の回転軸方向を長手方向として前記回転方向に２以上に分割された分割羽根が重畳可能に形成され、前記羽根形状変化手段は、前記吸入口に面した位置において前記分割羽根を重畳させて前記流体への抵抗を減少させる構成とすることができる。
【００１３】
このような構成によれば、羽根車の周囲に配置される複数の羽根は、それぞれ羽根車の回転軸方向を長手方向として回転方向に２以上に分割された分割羽根が重畳可能に形成されており、羽根形状変化手段により吸入口に面した位置において分割羽根を重畳させて流体への抵抗を減少させることができるので、流体の流入量を増加させることができるので、噴出させる遠心流を高圧、高速気流とすることができる。
【００１４】
本発明に係る貫流ポンプにおいて、前記羽根形状変化手段は、前記複数の羽根のそれぞれに設けた前記回転軸方向に伸長する可動軸部及び固定軸部を有し、前記固定軸部は、前記羽根車の両端に固着された一対の回転板に接続され、前記可動軸部は、前記一対の回転板を貫通して前記回転板の外側に設けられた一対の固定板に形成された溝部に貫入し、前記羽根車の回転に伴って前記溝部の所定形状に沿って移動し、前記溝部の所定範囲位置において前記分割羽根を重畳させる構成とすることができる。
【００１５】
このような構成によれば、羽根形状変化手段は、複数の羽根のそれぞれに設けた回転軸方向に伸長する可動軸部と固定軸部を有し、可動軸部が羽根車の回転に伴って、貫入する固定板の溝部の所定形状に沿って移動し、溝部の所定範囲位置において分割羽根を重畳させることができるので、複数の羽根のうち吸入口に面した位置で分割羽根を重畳させることで流入する流体への抵抗を減少させることができる。これにより、流体の流入量を増加させることができるので、噴出させる遠心流を高圧、高速気流とすることができる。
【００１６】
本発明に係る貫流ポンプにおいて、前記複数の羽根は、それぞれ前記羽根車の回転軸方向を長手方向として前記回転方向に２以上に分割された分割羽根が連動して回動可能に形成され、前記羽根形状変化手段は、前記吸入口に面した位置において前記分割羽根をそれぞれ回動させて前記流体への抵抗を減少させる構成とすることができる。
【００１７】
このような構成によれば、複数の羽根はそれぞれ羽根車の回転軸方向を長手方向として回転方向に２以上に分割された分割羽根が連動して回動可能に形成されているので、羽根形状変化手段は、前記吸入口に面した位置において分割羽根をそれぞれ回動させて流体への抵抗を減少させるようにできる。羽根が吸入口に面した位置のときに、分割羽根を回動させることで、分割羽根同士の間に所定の隙間を形成させることで、流体の流入を増大させることができる。羽根が吸入口に面した位置から離れた位置のときは、分割羽根を回動させて一枚の羽根とすることで、噴出する流体を高圧で風流のある遠心流とすることができる。これにより、流体の流入量を増加させることができるので、噴出させる遠心流を高圧、高速気流とすることができる。
【００１８】
本発明に係る貫流ポンプにおいて、前記羽根形状変化手段は、前記複数の羽根のそれぞれに設けた前記回転軸方向に伸長する可動軸部及び固定軸部を有し、前記固定軸部は、前記羽根車の両端に固着された一対の回転板に接続され、前記可動軸部は、前記一対の回転板を貫通して前記回転板の外側に設けられた一対の固定板に形成された溝部に貫入し、前記羽根車の回転に伴って前記溝部の所定形状に沿って移動し、前記溝部の所定範囲位置において前記分割羽根を回動させる構成とすることができる。
【００１９】
このような構成によれば、羽根形状変化手段は、複数の羽根のそれぞれに設けた回転軸方向に伸長する可動軸部と固定軸部を有し、可動軸部が羽根車の回転に伴って、貫入する固定板の溝部の所定形状に沿って移動し、溝部の所定範囲位置において分割羽根を回動させることができるので、複数の羽根のうち吸入口に面した位置で分割羽根を回動させて流入する流体への抵抗を減少させることができる。これにより、流体の流入量を増加させることができるので、噴出させる遠心流を高圧、高速気流とすることができる。
【００２０】
本発明に係る貫流ポンプにおいて、前記可動軸部は、前記溝部の所定範囲位置において前記分割羽根を回動させて隣接する分割羽根同士の間に所定の隙間を形成させる構成とすることができる。
【００２１】
このような構成によれば、分割羽根を回動させて隣接する分割羽根同士の間に所定の隙間を形成させることで、流入する流体への抵抗を減少させ、高速回転する羽根車から噴出させる流体を高圧、高速気流とすることができる。
【００２２】
本発明に係る貫流ポンプにおいて、前記可動軸部は、前記複数の羽根が前記吸入口を離れた位置にあるときは、前記分割羽根を回動させて隣接する分割羽根との間の隙間を解消させる構成とすることができる。
【００２３】
このような構成によれは、羽根が吸入口の位置から離れた位置にあるときは、分割羽根を回動させて隣接する分割羽根との隙間を解消させるので、羽根車から流出する流体を遠高圧、高速の遠心気流にして噴出させることができる。
【発明の効果】
【００２４】
本発明に係る貫流ポンプによれば、噴出口からの気流を遠心流として噴出させると共に、吸入口に向けた羽根の形状を流入する流体への抵抗を減少させるように変化させるので、高速回転する羽根車から高圧、高速の気流として噴出させることができる。
【図面の簡単な説明】
【００２５】
【図１】図１は、本発明の第１の実施形態に係る貫流ポンプの側断面図である。
【図２】図２は、図１のＹ１−Ｙ１断面概略図である。
【図３】図３は、図１に示す折り畳んだ状態の羽根と、回転板及び固定板を示す切り欠き斜視図である。
【図４】図４は、図１に示す伸長した状態の羽根と固定板を示す切り欠き斜視図である。
【図５】図５は、本発明の第２の実施形態に係る貫流ポンプの側断面図である。
【図６】図６は、図５のＹ２−Ｙ２断面概略図である。
【図７】図７は、図５に示す回動により隣接する分割羽根との間に隙間を設けた状態の羽根と、回転板及び固定板を示す切り欠き斜視図である。
【図８】図８は、図５に示す回動により隣接する分割羽根との間に隙間を設けない状態の羽根と、回転板及び固定板を示す切り欠き斜視図である。
【発明を実施するための形態】
【００２６】
以下、本発明の実施の形態について図面を参照して説明する。第１の実施形態については図１乃至図４に、第２の実施の形態については図５乃至図８を参照して説明する。
【００２７】
（第１の実施形態）
図１、図２に示すように、貫流ポンプ１１は、流体である空気の吸入口１２及び墳出口１３を備えた筒状のケーシング体１６と、ケーシング体１６の内部で回転軸１５に軸支された円筒形状の羽根車１７と、回転軸１５を回転駆動させる駆動モータ１９と、羽根車１７の外周に所定間隔で配置される複数個の羽根１８と、を有する。
【００２８】
羽根車１７は、円筒形状の両端面に円盤状の回転板２１ａ、２１ｂが設けられている。羽根車１７の外周に配置された複数の羽根１８は、それぞれ回転軸１５の軸方向を長手方向として伸長し、その両端が上記した回転板２１ａ、２１ｂに形状が変形可能に接続されている。駆動モータ１９による回転軸１５の回転によって、羽根１８と回転板２１ａ、２１ｂは一体となって回転する。回転板２１ａ、２１ｂ、複数の羽根１８により羽根車１７が構成される。羽根車１７は、回転軸１５の軸方向を長手方向とした円筒形状で、上記したように両端面を回転板２１ａ、２１ｂで封止される。回転する羽根車１７は、吸入口１２に向いた側面から羽根１８を通して内部に空気を吸入し、そして内部を貫流して噴出口１３に向いた側面から羽根１８を通して高圧の気流として噴出する構造となっている。
【００２９】
回転板２１ａ、２１ｂの外側には所定間隔を設けた位置に、回転軸１５を貫通させた固定板２３ａ、２３ｂがケーシング体１６の内壁１６ａにそれぞれ固定されている。固定板２３ａを貫通した回転軸１５の一方の端は、ケーシング体１６の壁面に回転可能に軸支されており、固定板２３ｂを貫通した回転軸１５の他方の端は、ケーシング体１６の内壁を貫通して外部の駆動モータ１９に接続されている。回転軸１５が貫通するケーシング体１６には、回転軸１５の回転を円滑にすべく軸受け２５ａ、２５ｂが設けられている。
【００３０】
図２に示すように、ケーシング体１６の内壁１６ａには、吸入口１２の両端位置において流路を締め切り構造とするために、羽根車１７に近接する隔壁として舌部２７ａ、２７ｂが形成されている。更に、吸入口１２の一端である舌部２７ｂから羽根車１７の回転方向３１に沿って噴出口１３へ続くケーシング体１６の内壁１６ａ（流路の内壁面）が外側に徐々に膨出（拡大）するように形成されている。これにより、羽根車１７（羽根１８）とケーシング体１６の内壁１６ａとの間には、徐々に外側に向けて膨出する膨出空間３３が形成される。この膨出空間３３の形成により、高速回転する羽根車１７の羽根１８から吐出された空気は旋回する遠心流となり、後述する羽根１８形状の変化である、吐出口１２に面した位置における短縮翼（分割羽根が重畳した状態）、吐出口１２側以外の位置における遠心翼（分割羽根が一枚の羽根となる状態）と相まって高圧、高速気流が噴出口１３から噴射される。
【００３１】
羽根車１７の外周に所定間隔で設けられる羽根１８は、回転軸１５の軸方向を長手方向として回転方向に分割された５枚の分割羽根３５ａ、３５ｂ、３５ｃ、３５ｄ、３５ｅ（適宜、「分割羽根３５」と総称する。）で構成されている（図４参照）。羽根１８及び分割羽根３５は、回転方向に向けて凹面となるように湾曲した形状となっている。
【００３２】
図１、図２に示すように、羽根車１７の回転に伴って、羽根１８は吸入口１２に面した位置にあるときは５枚の分割羽根３５ａ〜３５ｅは重なり（重畳して短縮翼）、吸入口１２に面した位置から離れた位置にあるときは重なった状態からそれぞれ離れて面積の広い一枚の羽根１８（遠心翼）となる。羽根１８の形状が上記のように変化することで、吸入口１２から吸入する空気への抵抗を小さくして吸入量を増加させ、更に面積の大きな一枚の羽根１８により膨出空間３３に噴出させて、遠心流として風圧、風量を高めることができる。なお、羽根１８及びその分割羽根３５の形状、配置の角度は適宜に設定することができる。
【００３３】
図３、図４に示すように、一枚の羽根１８を構成する５枚の分割羽根３５ａ〜３５ｅは、取付具３７ａ、３７ｂ、３７ｃ、３７ｄ、３７ｅがそれぞれ設けられており、取付具３７ａ〜３７ｅの孔部を通した紐状接続部材３８で連結されている。分割羽根３５の一方の端部にある分割羽根３５ｅには、長手方向に沿って棒状の固定軸部４１が設けられている。他方の端部にある分割羽根３５ａには、長手方向に沿って棒状の可動軸部４２が設けられている。図４において、可動軸部４２を分割羽根３５ｅ方向に移動させることで、分割羽根３５ａ〜３５ｅを重畳させることができ、また重畳させた分割羽根３５ａ〜３５ｅは、可動軸部４２を元の位置に移動させることで元の羽根１８の状態（開いた状態）に戻すことができる。
【００３４】
固定軸部４１は、その両端を回転板２１ａ、２１ｂに固定されている。一方、可動軸部４２は、その両端が回転板２１ａ、２１ｂにそれぞれ形成された円弧状の溝部４５と、固定板２３ａ、２３ｂにそれぞれ形成された環状の溝部４６を貫通した状態に設けられている。環状の溝部４６は、図２の破線で示すように、円弧状の溝部４６ａと円弧の両端から外側に膨出した形状の溝部４６ｂから構成されている。膨出した形状の溝部４６ｂは吸入口１２側に形成されており、円弧状の溝４６ａは吸入口１２以外の側に形成されている。
【００３５】
羽根車１７が回転すると、固定軸部４１は固定された回転板２１ａ、２１ｂと共に回転する。固定軸部４１は、その両端が回転板２１ａ、２１ｂに固定されているので、羽根車１７が回転すると回転板２１ａ、２１ｂと共に回転する。可動軸部４２は、羽根車１７の回転により、固定板２３ａ、２３ｂに形成された環状の溝を構成する溝部４６ａ、４６ｂに沿って移動する構造となっている。可動軸部４２を備えた羽根１８が吸入口１２側の位置にあるときは、可動軸部４２は膨出した形状の溝部４６ｂに沿って移動し、羽根１８が吸入口１２側以外の位置にあるときは、可動軸部４２は円弧状の溝部４６ａに沿って移動する構造となっている。
【００３６】
可動軸部４２が固定板２３ａ、２３ｂの溝部４６ｂに沿って移動するとき、即ち可動軸部４２を備えた羽根１８が吸入口１２側の位置にあるときは、可動軸部４２は回転板２１ａ、２１ｂの溝部４５の端部４５ａに位置している（図３参照）。このとき、羽根１８を構成する分割羽根３５ａ〜３５ｅは、分割羽根３５ｅを下にして分割羽根３５ｄ、３５ｃ、３５ｂ、３５ａの順に重なった構造（重畳）となる。よって、羽根１８が吸入口１２側にあるときは、吸入口１２から流入する空気への抵抗を減少させることができ、空気の吸入量を増大させることになる（図２参照）。
【００３７】
また、可動軸部４２が固定板２３ａ、２３ｂの溝部４６ａに沿って移動するとき、即ち可動軸部４２を備えた羽根１８が吸入口１２側を離れた位置（吸入口１２側以外の位置）にあるときは、可動軸部４２は回転板２１ａ、２１ｂの溝部４５の端部４５ｂに位置している（図４参照）。このとき、羽根１８を構成する分割羽根３５ａ〜３５ｅは、上述した重なった状態から開いた状態となり、分割羽根３５ａ、分割羽根３５ｂ、３５ｃ、３５ｄ、３５ｅの順に並んだ状態となる。よって、羽根１８が吸入口１２側以外の位置にあるときは、羽根１８の面積が最大となり、噴出する空気を高圧、高速の遠心流として噴出させることができる。
【００３８】
以下に、上記貫流ポンプ１１の動作について図面（図１乃至図４）を参照して説明する。駆動モータ１９を作動させて、回転軸１５を介して羽根車１７を高速回転（回転方向３１）させる。羽根車１７の回転により、羽根１８は吸入口１２側の位置にあるときは、可動軸部４２が固定板２３ａ、２３ｂの環状の溝部の一部である膨出した形状の溝部４６ｂに沿って移動する（図２参照）。このとき、可動軸部４２は回転板の溝部４５の一方の端４５ａに位置するので（図３参照）、羽根１８を構成する分割羽根３５ａ〜３５ｅは上下に重なった状態（重畳）になり、吸入口１２から流入する空気への抵抗が減少する。そのため、羽根車１７の内部に流入する空気の量は増大することになる。
【００３９】
羽根１８が吸入口１２側の位置以外にあるときは、可動軸部４２が固定板２３ａ、２３ｂの環状の溝部の一部である円弧状の溝部４６ａに沿って移動する（図２参照）。このとき、可動軸部４２は回転板の溝部４５の一方の端４５ｂに位置するので（図４参照）、羽根１８を構成する分割羽根３５ａ〜３５ｅは開いた（拡大した）になり、噴出させる空気へ充分な圧力を加えることができる。そのため、従来の貫流ポンプの渦の負圧による吸引とは異なり、膨出空間３３の開いた羽根による遠心流と、重畳した分割羽根とにより、高圧、高速の気流として噴射することができる。すなわち、羽根車１７の回転により、吸入口１２側に位置する羽根１８は分割羽根３５が重畳した状態となり、吸入口１２側を離れた位置では膨出空間３３に向けて重畳状態を解除して開いた一枚羽根の状態となることで、上記したように、高圧、高速の気流を噴射することが可能となった。
【００４０】
（第２の実施形態）
次に、本発明の第２の実施形態に係る貫流ポンプについて、図面（図５乃至図８）を参照して説明する。なお、本実施形態に係る貫流ポンプの説明に際しては、第１の実施形態と相違する点を中心に説明し、重複する部分については適宜説明を省略する。また、第１の実施形態と共通する部分については同様の名称、符号を使用する。
【００４１】
本実施形態に係る貫流ポンプ６１は、第１の実施形態に係る貫流ポンプ１１と共通する点は、羽根５３が吸入口１２側にあるときは、羽根５３の形状を変化させて吸入口１２から流入する空気への抵抗を減少させ、羽根車５２内部への空気の吸入量を増大させること、吸入口１２の一端である舌部２７ｂから羽根車５２の回転方向３１に沿って噴出口１３へ続くケーシング体１６の内壁１６ａ（流路の内壁面）が外側に徐々に膨出（拡大）するように形成されていることである。
【００４２】
貫流ポンプ６１の羽根車５２の外周に所定間隔で羽根５３が複数個配置されている。羽根５３は、回転軸１５の軸方向を長手方向として回転方向に分割された５枚の分割羽根５５ａ、５５ｂ、５５ｃ、５５ｄ、５５ｅ（適宜、「分割羽根５５」と総称する。）で構成されている（図７、８参照）。図５、図６に示すように、羽根車５２の回転に伴って、羽根５３は吸入口１２に面した位置にあるときは５枚の分割羽根５５ａ〜５５ｅは隣接する分割羽根同士の間に所定の隙間を形成するように連動して回動し、吸入口１２に面した位置から離れた位置にあるときは所定の隙間を生じないように回動して面積の広い一枚の羽根５３（遠心翼）を形成するようになる。羽根５３の形状が上記のように変化することで、吸入口１２から吸入する空気への抵抗を小さくして羽根車５２内への吸入量を増加させ、更に面積の大きな一枚の羽根５３となることにより膨出空間３３に噴出させて、遠心流として風圧、風量を高めることができる構造としたものである。
【００４３】
図７、図８に示すように、一枚の羽根５３を構成する５枚の分割羽根５５ａ〜５５ｅは、分割羽根を回動させるためにその回動の軸となる長手方向に伸長する回動軸部５８ａ、５８ｂ、５８ｃ、５８ｄ、５８ｅがそれぞれ設けられており、回動軸部５８ａ〜５８ｅを連動させるための連結部材５６で連結されている。回動軸部５８ａ〜５８ｅの両端は、回転板２１ａ、２１ｂに回動可能に接続されている。また、分割羽根５５の一方の端部にある分割羽根５５ａには、棒状の可動軸部５１が設けられている。
【００４４】
可動軸部５１は、その両端が回転板２１ａ、２１ｂにそれぞれ形成された円弧状の溝部４５（図３、図４参照）と、固定板２３ａ、２３ｂにそれぞれ形成された環状の溝部４６を貫通した状態に設けられている。環状の溝部４６は、図６の破線で示すように、円弧状の溝部４６ａと円弧の両端から外側に膨出した形状の溝部４６ｂから構成されている。膨出した形状の溝部４６ｂは吸入口１２側に形成されており、円弧状の溝４６ａは吸入口１２側以外に形成されている。
【００４５】
羽根車５２が回転すると、可動軸部５１は、羽根車５２の回転により、固定板２３ａ、２３ｂに形成された環状の溝を構成する溝部４６ａ、４６ｂに沿って移動する構造となっている。可動軸部５１を備えた羽根５３が吸入口１２側の位置にあるときは、可動軸部５１は膨出した形状の溝部４６ｂに沿って移動し、羽根５３が吸入口１２側以外の位置にあるときは、可動軸部５１は円弧状の溝部４６ａに沿って移動する構造となっている。
【００４６】
可動軸部５１が固定板２３ａ、２３ｂの溝部４６ｂに沿って移動するとき、即ち可動軸部５１を備えた羽根５３が吸入口１２側の位置にあるときは、可動軸部５１は回転板２１ａ、２１ｂの溝部の一方の端部に位置している（図示省略）。このとき、羽根５３を構成する分割羽根５５ａ〜５５ｅは、可動軸部５１の移動により回動軸部５８ａ〜５８ｅが回動して隣接する分割羽根５５同士が所定の隙間を形成するようになる（図７）。なお、図７においては、分割羽根５５と所定の隙間とを区別するために、分割羽根５５に破線による斜線を設けている。所定の隙間を形成することにより、羽根５３が吸入口１２側にあるときは、吸入口１２から羽根車５２へ流入する空気への抵抗を減少させることができ、空気の吸入量を増大させることになる。
【００４７】
また、可動軸部５１が固定板２３ａ、２３ｂの溝部４６ａに沿って移動するとき、即ち可動軸部５１を備えた羽根５３が吸入口１２側を離れた位置（吸入口１２側以外の位置）にあるときは、可動軸部４２は回転板２１ａ、２１ｂの溝部の他方の端部に位置している（図示省略）。このとき、羽根５３を構成する分割羽根５５ａ〜３５ｅは、上述した所定の隙間を形成した状態から回動により隙間を無くした状態となる。よって、羽根５３が吸入口１２側以外の位置にあるときは、羽根５３の面積が最大となり、噴出する空気を高圧、高速の遠心流として噴出させることができる。
【００４８】
以下に、上記貫流ポンプ６１の動作について図面（図５乃至図８）を参照して説明する。駆動モータ１９を作動させて、回転軸１５を介して羽根車５２を高速回転（回転方向３１）させる。羽根車５２の回転により、羽根５３は吸入口１２側の位置にあるときは、可動軸部４２が固定板２３ａ、２３ｂの環状の溝部の一部である膨出した形状の溝部４６ｂに沿って移動する（図２参照）。このとき、羽根５３を構成する分割羽根５５ａ〜５５ｅは回動軸部５８ａ〜５８ｅの回動により隣接する分割羽根５５同士の間に所定の隙間が形成されるので、吸入口１２から羽根車５２へ流入する空気への抵抗が減少する。そのため、羽根車５２の内部に流入する空気の量は増大することになる。
【００４９】
羽根５３が吸入口１２側の位置以外にあるときは、可動軸部５１が固定板２３ａ、２３ｂの環状の溝部の一部である円弧状の溝部４６ａに沿って移動する（図６参照）。このとき、羽根５３を構成する分割羽根３５ａ〜３５は回動により上記した所定の隙間を無くした状態になり、一枚の羽根として噴出させる空気へ充分な圧力を加えることができる。そのため、羽根車５２の内部から流出する空気は膨出空間３３により遠心流となり、高圧、高速の気流として噴射することができる。上記した羽根５３の形状の変化と、膨出空間３３の形成により、高速回転する羽根車５２の羽根５３から吐出された空気は旋回する遠心流となり、高圧、高速気流が噴出口１３から噴射される。
【００５０】
上記した第１、第２の実施の形態のように羽根の形状を変化させ、吐出させる空気を高圧、高速の遠心流として噴出させているが、上記のものに限定されない。例えば、羽根を可撓性の材質で巻き取り可能に形成し、吸入口１２側に位置するときは羽根を巻き込んで流入口を開き、吸入口１２側を離れた位置にあるときは羽根を開いて面積を拡大することで吐出する空気を高圧、高速の遠心流として噴出する構造とすることができる。なお、本実施形態では、回転方向に向けて凹面に湾曲した形の前方円弧翼としているが、直線翼としてもよい。
【００５１】
以上、本発明のいくつかの実施形態及び各部の変形例を説明したが、この実施形態や各部の変形例は、一例として提示したものであり、発明の範囲を限定することは意図していない。上述したこれら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明に含まれる。
【００５２】
更に、本実施形態の貫流ポンプによれば、高圧、高速の空気を噴射することができるので、例えば垂直離着陸機の機体に装着すれば、コンパクトな外径形状で大きな重量（機体＋荷物）の上げ下ろしが可能となる。
【産業上の利用可能性】
【００５３】
本発明によれば、噴出口からの気流を遠心流として噴出させると共に、吸入口に向けた羽根の形状を流入する流体への抵抗を減少させるように変化させるので、高速回転する羽根車から高圧、高速の気流として噴出させることができるので、流路内の流体を加速するための貫流ポンプとして有用である。
【符号の説明】
【００５４】
１１    貫流ポンプ
１２    吸入口
１３    噴出口
１５    回転軸
１６    ケーシング体
１６ａ  ケーシング体の内壁
１７    羽根車
１８    羽根
１９    駆動モータ
２１ａ、２１ｂ  回転板
２３ａ、２３ｂ  固定板
２５ａ、２５ｂ  軸受け
３５ａ、３５ｂ、３５ｃ、３５ｄ、３５ｅ  分割羽根
３７ａ、３７ｂ、  取付具
３８    紐状接続部材
４１    固定軸部
４２    可動軸部
４６ａ  円弧状の溝部
４６ｂ  膨出した形状の溝部
５１    可動軸部
５２    羽根車
５３    羽根
５５ａ、５５ｂ、５５ｃ、５５ｄ、５５ｅ  分割羽根
５６    連結部材
５８ａ、５８ｂ、５８ｃ、５８ｄ、５８ｅ  回動軸部
【図１】
2020204269.tif 000003
【図２】
2020204269.tif 000004
【図３】
2020204269.tif 000005
【図４】
2020204269.tif 000006
【図５】
2020204269.tif 000007
【図６】
2020204269.tif 000008
【図７】
2020204269.tif 000009
【図８】
2020204269.tif 000010